Podtech/llm-jp-corpus-v4-ja_patent huggingface dataset:
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
第1のワイヤレスデバイスによるワイヤレス通信の方法であって、
第1のトリガフィールドを含む第1のメッセージを第2のワイヤレスデバイスへ送信するステップであって、前記第1のトリガフィールドが、ターゲットウェイクタイム(TWT)サービス期間の開始またはその中において前記第2のワイヤレスデバイスによってトリガメッセージが送られることを求める要求を、前記第1のメッセージが含むかどうかを示す、ステップと、
前記第2のワイヤレスデバイスから第2のメッセージを受信するステップであって、前記第2のメッセージが、TWTパラメータ、および前記第1のメッセージに基づく第2のトリガフィールドを含み、前記第2のトリガフィールドが、前記TWTサービス期間の前記開始またはその中において前記第2のワイヤレスデバイスが前記トリガメッセージを送信するかどうかを示す、ステップと、
を備える、方法。
【請求項２】
前記第1のメッセージが、要求されたTWTを含み、前記第1のトリガフィールドが、1に設定され、前記第1のメッセージが、前記要求されたTWTにおいて前記トリガメッセージが送られることを要求する、
請求項1に記載の方法。
【請求項３】
前記受信された第2のメッセージに基づいてTWTスケジュールを決定するステップと、
前記決定されたTWTスケジュールに基づいて前記第2のワイヤレスデバイスへ送信すべきかどうかを決定するステップと、
をさらに備える、請求項1に記載の方法。
【請求項４】
前記第2のワイヤレスデバイスからTWT情報メッセージを受信するステップであって、前記TWT情報メッセージが、次のTWT値を含む、ステップと、
前記受信されたTWT情報メッセージに基づいて前記TWTスケジュールを更新するステップと、
をさらに備える、請求項3に記載の方法。
【請求項５】
第1のワイヤレスデバイスによるワイヤレス通信の方法であって、
第1のトリガフィールドを含む第1のメッセージを第2のワイヤレスデバイスから受信するステップであって、前記第1のトリガフィールドが、ターゲットウェイクタイム(TWT)サービス期間の開始またはその中において前記第1のワイヤレスデバイスによってトリガメッセージが送られることを求める要求を、前記第1のメッセージが含むかどうかを示す、ステップと、
前記受信された第1のメッセージに基づいてTWTスケジュールを決定するステップと、
第2のメッセージを前記第2のワイヤレスデバイスへ送信するステップであって、前記第2のメッセージが、前記TWTスケジュール、および前記決定されたTWTスケジュールに基づく第2のトリガフィールドを含み、前記第2のトリガフィールドが、前記TWTサービス期間の前記開始またはその中において前記第1のワイヤレスデバイスが前記トリガメッセージを送信するかどうかを示す、ステップと、
を備える、方法。
【請求項６】
前記第1のメッセージが、要求されたTWTを含み、前記第1のトリガフィールドが、1に設定され、前記第1のメッセージが、前記要求されたTWTにおいて前記トリガメッセージが送られることを要求する、
請求項5に記載の方法。
【請求項７】
前記TWTスケジュールを決定する前記ステップが、
前記トリガメッセージを求める前記要求を前記第1のトリガフィールドが含むかどうかを決定するステップと、
前記トリガメッセージを求める前記要求を前記第1のトリガフィールドが含む場合、前記第2のワイヤレスデバイス用の1つまたは複数のTWTをスケジュールするステップと、
を備える、請求項5に記載の方法。
【請求項８】
前記第2のメッセージの中に含まれる前記TWTスケジュールに関連するすべてのTWT値と異なる次のTWT値を含むTWT情報メッセージを送信するステップ
をさらに備える、請求項5に記載の方法。
【請求項９】
ワイヤレス通信のための装置であって、前記装置が第1のワイヤレスデバイスであり、
第1のトリガフィールドを含む第1のメッセージを第2のワイヤレスデバイスへ送信するための手段であって、前記第1のトリガフィールドが、ターゲットウェイクタイム(TWT)サービス期間の開始またはその中において前記第2のワイヤレスデバイスによってトリガメッセージが送られることを求める要求を、前記第1のメッセージが含むかどうかを示す、手段と、
前記第2のワイヤレスデバイスから第2のメッセージを受信するための手段であって、前記第2のメッセージが、前記第1のメッセージに基づく第2のトリガフィールドを含み、前記第2のトリガフィールドが、前記TWTサービス期間の前記開始またはその中において前記第2のワイヤレスデバイスが前記トリガメッセージを送信するかどうかを示す、手段と、
を備える、装置。
【請求項１０】
前記第1のメッセージが、要求されたTWTを含み、前記第1のトリガフィールドが、1に設定され、前記第1のメッセージが、前記要求されたTWTにおいて前記トリガメッセージが送られることを要求する、
請求項9に記載の装置。
【請求項１１】
前記受信された第2のメッセージに基づいてTWTスケジュールを決定するための手段と、
前記決定されたTWTスケジュールに基づいて前記第2のワイヤレスデバイスへ送信すべきかどうかを決定するための手段と、
をさらに備える、請求項9に記載の装置。
【請求項１２】
ワイヤレス通信のための装置であって、前記装置が第1のワイヤレスデバイスであり、
第1のトリガフィールドを含む第1のメッセージを第2のワイヤレスデバイスから受信するための手段であって、前記第1のトリガフィールドが、ターゲットウェイクタイム(TWT)サービス期間の開始またはその中において前記第1のワイヤレスデバイスによってトリガメッセージが送られることを求める要求を、前記第1のメッセージが含むかどうかを示す、手段と、
前記受信された第1のメッセージに基づいてTWTスケジュールを決定するための手段と、
第2のメッセージを前記第2のワイヤレスデバイスへ送信するための手段であって、前記第2のメッセージが、前記TWTスケジュール、および前記決定されたTWTスケジュールに基づく第2のトリガフィールドを含み、前記第2のトリガフィールドが、前記TWTサービス期間の前記開始またはその中において前記第1のワイヤレスデバイスが前記トリガメッセージを送信するかどうかを示す、手段と、
を備える、装置。
【請求項１３】
前記第1のメッセージが、要求されたTWTを含み、前記第1のトリガフィールドが、1に設定され、前記第1のメッセージが、前記要求されたTWTにおいて前記トリガメッセージが送られることを要求する、
請求項12に記載の装置。
【請求項１４】
前記TWTスケジュールを決定するための前記手段が、
前記トリガメッセージを求める前記要求を前記第1のトリガフィールドが含むかどうかを決定することと、
前記トリガメッセージを求める前記要求を前記第1のトリガフィールドが含む場合、前記第2のワイヤレスデバイス用の1つまたは複数のTWTをスケジュールすることと、
を行うように構成される、請求項12に記載の装置。
【請求項１５】
コンピュータで実行されたとき、請求項1から8のいずれか一項に記載の方法を実行させるための命令を備える、
コンピュータプログラム。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
第１および第２の入力端子と、
第１および第２の出力端子と、
前記入力端子と前記出力端子との間に接続されたネットワークと、
ソース端子と、ドレイン端子と、少なくとも１つのゲート端子と、および少なくとも１つのバルク端子を有するスイッチング回路と、前記入力端子は、前記ソース端子および前記ドレイン端子に接続され、ここにおいて、前記スイッチング回路は、単一のトランジスタデバイスを備える、
前記入力端子と電気的に接続されている入力を有するサンプリング回路と、前記サンプリング回路は少なくとも１つの出力を有する、
を備え、前記サンプリング回路の前記少なくとも１つの出力は前記スイッチング回路の前記少なくとも１つのゲート端子と前記少なくとも１つのバルク端子に接続され、
前記サンプリング回路は、前記入力端子における入力信号に基づいてその前記少なくとも１つの出力に電圧レベルを発生するように動作する、
回路。
【請求項２】
前記サンプリング回路は前記第１の入力端子と前記第２の入力端子との間の電圧振幅に比例した電圧レベルを発生するように動作する、請求項１の回路。
【請求項３】
前記サンプリング回路は前記ネットワーク内のサンプリングポイントに接続される、請求項１の回路。
【請求項４】
前記ネットワークは第１のインダクタおよび第２のインダクタを備える、請求項３の回路。
【請求項５】
前記サンプリング回路は、整流器回路を備える、請求項１の回路。
【請求項６】
前記サンプリング回路は、ピーク検出器を備える、請求項１の回路。
【請求項７】
前記サンプリング回路は、自己混合局部発振器を備える、請求項１の回路。
【手続補正２】
【補正対象書類名】明細書
【補正対象項目名】００２２
【補正方法】変更
【補正の内容】
【００２２】
[0027]特許請求の範囲は以下の通りである。
以下に本願の出願当初の特許請求の範囲に記載された発明を付記する。
［Ｃ１］
第１および第２の入力電圧のソースへの接続のための第１および第２の入力端子と、ここにおいて、前記第１および第２の入力電圧は事実上差動である、
負荷への接続に関する出力端子を有する出力回路と、ここにおいて、前記出力回路は少なくとも１つのトランジスタデバイスを備え、前記少なくとも１つのトランジスタデバイスはゲート端子およびバルク端子を有する、および
前記第１および第２の入力端子と電気的に接続された第１および第２の入力を有するサンプリング回路と、ここにおいて、前記サンプリング回路はさらに前記少なくとも１つのトランジスタデバイスの前記ゲート端子および前記バルク端子に接続された出力を有する、ここにおいて、前記サンプリング回路は、前記第１および第２の入力端子における電圧レベルに応答してその出力に電圧レベルを生成するように動作する、
を備えた回路。
［Ｃ２］
前記サンプリング回路はさらに前記第１および第２の入力端子間の電圧振幅に比例する電圧レベルをその出力に生成するように動作する、Ｃ１の回路。
［Ｃ３］
前記サンプリング回路は整流器回路を備える、Ｃ１の回路。
［Ｃ４］
前記サンプリング回路はピーク検出器を備える、Ｃ１の回路。
［Ｃ５］
前記サンプリング回路は自己混合局部発振器を備えるＣ１の回路。
［Ｃ６］
前記出力回路はさらにゲート端子およびバルク端子を有する第２のトランジスタデバイスを備える、ここにおいて前記サンプリング回路の出力はさらに前記第２のトランジスタデバイスの前記ゲート端子および前記バルク端子に接続される、Ｃ１の回路。
［Ｃ７］
前記少なくとも１つのトランジスタは電界効果トランジスタ（ＦＥＴ）である、Ｃ１の回路。
［Ｃ８］
第１および第２の入力端子と、
第１および第２の出力端子と、
前記入力端子と前記出力端子との間に接続されたネットワークと、
ソース端子と、ドレイン端子と、少なくとも１つのゲート端子と、および少なくとも１つのバルク端子を有し、前記入力端子が前記ソース端子および前記ドレイン端子に接続されたスイッチング回路と、
前記入力端子と電気的に接続されている入力を有するサンプリング回路と、ここにおいて前記サンプリング回路は少なくとも１つの出力を有する、
を備え、前記サンプリング回路の前記少なくとも１つの出力は前記スイッチング回路の前記少なくとも１つのゲート端子と前記少なくとも１つのバルク端子に接続され、前記サンプリング回路は、前記入力端子における入力信号に基づいて前記少なくとも１つの出力に電圧レベルを発生するように動作する、
を備えた、回路。
［Ｃ９］
前記サンプリング回路は前記第１の入力端子と前記第２の入力端子との間の電圧振幅に比例した電圧レベルを発生するように動作する、Ｃ８の回路。
［Ｃ１０］
前記サンプリング回路は前記ネットワーク内のサンプリングポイントに接続される、Ｃ８の回路。
［Ｃ１１］
前記ネットワークは第１のインダクタおよび第２のインダクタを備える、Ｃ１０の回路。
［Ｃ１２］
前記スイッチング回路は第１のトランジスタデバイスと第２のトランジスタデバイスを備え、前記第１のトランジスタデバイスのソースは前記第２のトランジスタデバイスの前記ドレインに接続される、Ｃ８の回路。
［Ｃ１３］
前記サンプリング回路は前記第１および第２のトランジスタデバイスのゲート端子およびバルク端子に接続される、Ｃ１２の回路。
［Ｃ１４］
前記スイッチング回路は単一のトランジスタデバイスを備える、Ｃ８の回路。
［Ｃ１５］
第１および第２の入力端子と、
ソース端子と、ドレイン端子と、少なくとも１つのゲート端子と、及び少なくとも１つのバルク端子を有し、前記入力端子が前記ソース端子および前記ドレイン端子に接続されたスイッチング回路と、
前記第１および第２の入力端子における電圧振幅に応答して電圧レベルを発生する手段と、ここにおいて前記発生する手段は、前記少なくとも１つのゲート端子と前記少なくとも１つのバルク端子に接続された少なくとも１つの出力を有し、前記発生する手段は、前記ソース端子および前記ドレイン端子における電圧レベルよりも高い電圧レベルで前記少なくとも１つのバルク端子および前記少なくとも１つのゲート端子をバイアスするように動作する、
を備えた、回路。
［Ｃ１６］
前記発生する手段は、整流器回路を備える、Ｃ１５の回路。
［Ｃ１７］
前記発生する手段はピーク検出器を備える、Ｃ１５の回路。
［Ｃ１８］
前記発生する手段は自己混合局部発振器を備える、Ｃ１５の回路。
［Ｃ１９］
前記スイッチング回路は第１のトランジスタデバイスと第２のトランジスタデバイスを備え、前記第１のトランジスタデバイスのソースは前記第２のトランジスタデバイスの前記ドレインに接続される、Ｃ１５の回路。
［Ｃ２０］
前記第１のトランジスタデバイスのドレインは前記スイッチング回路の前記ドレイン端子に接続され、前記第２のトランジスタデバイスのソースは前記スイッチング回路の前記ソース端子に接続される、Ｃ１９の回路。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
第1のワイヤレスデバイスによるワイヤレス通信の方法であって、
アクティブモード、省電力モード、またはターゲットウェイクタイム(TWT)省電力モードに切り替えるべきかどうかを決定するステップであって、前記TWT省電力モードの間、前記第1のワイヤレスデバイスが、TWTサービス期間中にアウェイク状態に入り、前記TWTサービス期間の外部でドーズ状態に入る、ステップと、
前記決定に基づいてメッセージを第2のワイヤレスデバイスへ送信するステップと、
を備える、方法。
【請求項２】
前記TWTサービス期間が、前記第1のワイヤレスデバイスに関連するTWTスケジュールに基づいて識別される、
請求項1に記載の方法。
【請求項３】
前記TWT省電力モードに切り替えるかまたは前記TWT省電力モードから離れて切り替えるように前記第1のワイヤレスデバイスに命令する表示を、前記第2のワイヤレスデバイスから受信するステップをさらに備える、
請求項1に記載の方法。
【請求項４】
前記決定するステップが、
送信または受信のための追加のデータがあるかどうかを決定するステップであって、前記第1のワイヤレスデバイスが、送信または受信のための追加のデータがないときに前記TWT省電力モードから前記省電力モードに切り替えるべきと決定する、ステップ、
1に設定されたサービス期間終了(EOSP)インジケータを有するサービス品質(QoS)メッセージを前記第2のワイヤレスデバイスから受信するステップであって、前記第1のワイヤレスデバイスが、前記EOSPインジケータが1に設定されるときに前記TWT省電力モードから前記省電力モードに切り替えるべきと決定する、ステップ、または
0に設定されたカスケード式インジケータを有し前記第1のワイヤレスデバイスを対象としないトリガメッセージを、前記第2のワイヤレスデバイスから受信するステップであって、前記第1のワイヤレスデバイスが、前記カスケード式インジケータが0に設定されるとともに前記トリガメッセージが前記第1のワイヤレスデバイスを対象としないときに前記省電力モードに切り替えるべきと決定する、ステップを備える、
請求項1に記載の方法。
【請求項５】
前記第2のワイヤレスデバイスのモードを決定するステップをさらに備える、
請求項1に記載の方法。
【請求項６】
トラフィック表示マップを含む第2のメッセージを前記第2のワイヤレスデバイスから受信するステップをさらに備え、前記トラフィック表示マップが、前記第1のワイヤレスデバイスが選択すべき動作モードを示し、前記第1のワイヤレスデバイスが、前記第1のワイヤレスデバイスにとってトラフィックが利用可能であることを前記トラフィック表示マップが示すときに前記TWT省電力モードに切り替えるべきと決定する、
請求項1に記載の方法。
【請求項７】
第1のワイヤレスデバイスによるワイヤレス通信の方法であって、
アクティブモード、省電力モード、またはターゲットウェイクタイム(TWT)省電力モードのうちの1つである動作モードに切り替えるという第2のワイヤレスデバイスの意向を示すメッセージを、前記第2のワイヤレスデバイスから受信するステップであって、前記TWT省電力モードの間、前記第2のワイヤレスデバイスが、TWTサービス期間中にアウェイク状態に入り、前記TWTサービス期間の外部でドーズ状態に入る、ステップと、
前記第2のワイヤレスデバイスに関連する前記動作モードを記憶するステップと、
前記動作モード切替えの確認応答を前記第2のワイヤレスデバイスへ送信するステップと、
を備える、方法。
【請求項８】
動作モードを切り替えるように前記第2のワイヤレスデバイスに命令するために、1に設定されたサービス期間終了(EOSP)インジケータを含むサービス品質(QoS)メッセージを送信するステップをさらに備える、
請求項7に記載の方法。
【請求項９】
前記第1のワイヤレスデバイスが前記TWTサービス期間の外部でドーズ状態にあるかどうかを示す応答側モードインジケータを送信するステップをさらに備える、
請求項7に記載の方法。
【請求項１０】
前記第1のワイヤレスデバイスがドーズ状態の中に入ることを示すために、非割当てリソースを有するトリガメッセージを送信するステップをさらに備える、
請求項7に記載の方法。
【請求項１１】
前記第2のワイヤレスデバイスが選択すべき前記動作モードを示すトラフィック表示マップを送信するステップをさらに備える、
請求項7に記載の方法。
【請求項１２】
前記TWT省電力モードに切り替えるかまたは前記TWT省電力モードから離れて切り替えるように前記第2のワイヤレスデバイスに命令する表示を、前記第2のワイヤレスデバイスへ送信するステップをさらに備える、
請求項7に記載の方法。
【請求項１３】
ワイヤレス通信のための装置であって、前記装置が第1のワイヤレスデバイスであり、
アクティブモード、省電力モード、またはターゲットウェイクタイム(TWT)省電力モードに切り替えるべきかどうかを決定するための手段であって、前記TWT省電力モードの間、前記第1のワイヤレスデバイスが、TWTサービス期間中にアウェイク状態に入り、前記TWTサービス期間の外部でドーズ状態に入る、手段と、
前記決定に基づいてメッセージを第2のワイヤレスデバイスへ送信するための手段と、
を備える、装置。
【請求項１４】
ワイヤレス通信のための装置であって、前記装置が第1のワイヤレスデバイスであり、
アクティブモード、省電力モード、またはターゲットウェイクタイム(TWT)省電力モードのうちの1つである動作モードに切り替えるという第2のワイヤレスデバイスの意向を示すメッセージを、前記第2のワイヤレスデバイスから受信するための手段であって、前記TWT省電力モードの間、前記第2のワイヤレスデバイスが、TWTサービス期間中にアウェイク状態に入り、前記TWTサービス期間の外部でドーズ状態に入る、手段と、
前記第2のワイヤレスデバイスに関連する前記動作モードを記憶するための手段と、
前記動作モード切替えの確認応答を前記第2のワイヤレスデバイスへ送信するための手段と、
を備える、装置。
【請求項１５】
コンピュータ実行可能コードを記憶する、第1のワイヤレスデバイスのコンピュータ可読記憶媒体であって、実行されたとき、前記コンピュータ実行可能コードがコンピュータに請求項1から12のいずれか一項に記載の方法を実行させる、
コンピュータ可読記憶媒体。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
式Ｉ
Ｚ１−Ｘ１−Ｚ２    （Ｉ）
の８〜１４個のアミノ酸のマイナー組織適合抗原（ＭｉＨＡ）ペプチドであり、式中、
Ｚ１は、アミノ末端修飾基であるか、または存在せず、
Ｘ１は、表ＶＩに示すペプチド配列の内の１つの少なくとも８個の連続した残基を含む配列であり、かつ示された多型アミノ酸を含み、
Ｚ２は、カルボキシ末端修飾基であるか、または存在しない。
【表１−１】
2018505682.tif 000001
【表１−２】
2018505682.tif 000002
【請求項２】
Ｘ１が表ＶＩに示されるペプチド配列のいずれか１つからなる、請求項１に記載のＭｉＨＡペプチド。
【請求項３】
Ｘ１が、配列番号１〜７５に示されるペプチド配列の内の１つの少なくとも８個の連続した残基を含む配列であり、および前記多型アミノ酸を含む、請求項１に記載のＭｉＨＡペプチド。
【請求項４】
Ｘ１が、配列番号１〜７５に示されるペプチド配列のいずれか１つからなる、請求項３に記載のＭｉＨＡペプチド。
【請求項５】
Ｚ１および/またはＺ２が存在しない、請求項１〜４のいずれか１項に記載のＭｉＨＡペプチド。
【請求項６】
表ＶＩに示されるペプチド配列のいずれか１つからなる、請求項１〜５のいずれか１項に記載のＭｉＨＡペプチド。
【請求項７】
配列番号１〜７５に示されるペプチド配列のいずれか１つからなる、請求項１〜６のいずれか１項に記載のＭｉＨＡペプチド。
【請求項８】
前記ＭｉＨＡが少なくとも０．１のマイナーアレル頻度（ＭＡＦ）を有する座位由来である、請求項１〜７のいずれか１項に記載のＭｉＨＡペプチド。
【請求項９】
主要組織適合抗原（ＭＨＣ）クラスＩ分子のＨＬＡ−Ａ＊０２：０１アレルに結合し、前記ペプチド配列が表ＶＩＩに示されている、請求項１〜８のいずれか１項に記載のＭｉＨＡペプチド。
【表２】
2018505682.tif 000003
【請求項１０】
前記ペプチドが、主要組織適合抗原（ＭＨＣ）クラスＩ分子のＨＬＡ−Ｂ＊４４：０３アレルに結合し、前記ペプチド配列が表ＶＩＩＩに示されている、請求項１〜８のいずれか１項に記載のＭｉＨＡペプチド。
【表３】
2018505682.tif 000004
【請求項１１】
請求項１〜１０のいずれか１項で定義のＭｉＨＡペプチドの内の少なくとも１つのアミノ酸配列を含むポリペプチドであって、次の式Ｉａ：
Ｚ１−Ｘ２−Ｘ１−Ｘ３−Ｚ２    （Ｉａ）
であり、式中、
Ｚ１、Ｘ１およびＺ２が、請求項１〜１２のいずれか１項で定義されている通りであり、
Ｘ２およびＸ３は、それぞれ独立に、存在しないか、または１つまたは複数のアミノ酸の配列であり、
未変性タンパク質のアミノ酸配列を含まないか、またはそれから構成されず、細胞による前記ポリペプチドのプロセッシングにより、前記細胞により発現されたＭＨＣクラスＩ分子のペプチド結合溝中への前記ＭｉＨＡペプチドのローディングが生じる、ポリペプチド。
【請求項１２】
（ｉ）請求項１〜１０のいずれか１項で定義の少なくとも２つのＭｉＨＡペプチド；（ｉｉ）請求項１〜１０のいずれか１項で定義の少なくとも１つのＭｉＨＡペプチドおよび少なくとも１つの追加のＭｉＨＡペプチド、を含むペプチドの組み合わせ。
【請求項１３】
請求項１〜１０のいずれか１項に記載のＭｉＨＡペプチド、または請求項１２に記載のペプチドの組み合わせをペプチド結合溝中に含む主要組織適合抗原（ＭＨＣ）クラスＩ分子をその表面に発現している単離細胞。
【請求項１４】
抗原提示細胞（ＡＰＣ）である、請求項１３に記載の細胞。
【請求項１５】
前記ＡＰＣが樹状細胞である、請求項１４に記載の細胞。
【請求項１６】
請求項１３〜１５のいずれか１項に記載の細胞の表面に発現したＭＨＣクラスＩ分子を特異的に認識するＴ細胞受容体（ＴＣＲ）。
【請求項１７】
請求項１６に記載のＴＣＲを細胞表面で発現している少なくとも０．５％のＣＤ８＋  Ｔリンパ球を含む細胞集団。
【請求項１８】
前記ＣＤ８＋  Ｔリンパ球が、請求項１６に記載のＴＣＲのアルファおよびベータ鎖をコードする１種または複数の核酸を遺伝子導入される、請求項１７に記載の細胞集団。
【請求項１９】
請求項１〜１０のいずれか１項で定義された１種または複数のＭｉＨＡペプチドを特異的に認識するＣＤ８＋  Ｔリンパ球を増殖する方法であって、ＣＤ８＋  Ｔリンパ球の増殖に好適な条件下で、請求項１３〜１５のいずれか１項に記載の細胞の存在下で前記１種または複数のＭｉＨＡペプチドを発現しない候補ドナー由来のＣＤ８＋  Ｔリンパ球を培養することを含むエクスビボ方法。
【請求項２０】
対象の癌の処置において使用するための請求項１７または１８に記載の細胞集団、および／または前記細胞集団を含む組成物。
【請求項２１】
前記ＣＤ８＋  Ｔリンパ球が、請求項１９に記載の方法により調製し、エクスビボで増殖させたＣＤ８＋  Ｔリンパ球である、請求項２０に記載の使用のための細胞集団または組成物。
【請求項２２】
請求項１９に記載の方法によりＣＤ８＋  Ｔリンパ球を増幅することをさらに含む、請求項２０または２１に記載の使用のための細胞集団または組成物。
【請求項２３】
前記それを必要としている対象が、同種幹細胞移植（ＡＳＣＴ）のレシピエントである、請求項２０〜２２のいずれか１項に記載の使用のための細胞集団または組成物。
【請求項２４】
前記癌が血液癌である、請求項２０〜２３のいずれか１項に記載の使用のための細胞集団または組成物。
【請求項２５】
前記血液癌が白血病である、請求項２４に記載の使用のための細胞集団または組成物。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
分子構成を保持しながら、ゲノム試料の１つ以上の部分から配列情報を取得する方法であって、
（ａ）出発ゲノム材料を準備することと、
（ｂ）前記出発ゲノム材料の個別の核酸分子を、分離区分がそれぞれ第１の個別核酸分子を含有するように、分離区分の中に分配することと、
（ｃ）前記ゲノムの前記１つ以上の選択部分の少なくとも一部を含む断片が豊富化された個体群を提供することと、
（ｄ）共通のバーコード配列を、前記断片のそれぞれが、それらが含有されていた前記分離区分に属するように、それぞれの分離区分内の前記断片に結合することと、
（ｅ）前記断片から配列情報を取得し、それによって、分子構成を保持しながら、前記ゲノム試料の１つ以上の標的化部分を配列決定することと
を含む、前記方法。
【請求項２】
前記提供ステップ（ｃ）が、前記ゲノムの前記１つ以上の選択部分の配列を含有する前記断片の少なくとも一部のＰＣＲ増幅を含む、請求項１に記載の方法。
【請求項３】
前記ゲノムの前記１つ以上の選択部分が、前記ゲノムの少なくとも３．０Ｍｂの長さの近接領域を含む、請求項１又は２に記載の方法。
【請求項４】
前記取得ステップ（ｅ）が、短い読み込み長さ配列決定反応及び長い読み込み長さ配列決定反応からなる群から選択される配列決定反応を含む、請求項１〜３のいずれか一項に記載の方法。
【請求項５】
前記特定ステップ（ｅ）が、前記特定が、同じ個別の第１の核酸断片分子から誘導される断片を特定することをさらに含むように、前記断片配列の前記分子構成を保存する、請求項１〜４のいずれか一項に記載の方法。
【請求項６】
前記方法が、前記複数の第２の断片の重複配列に基づいて、推定コンティグ中において２つ以上の前記個別の第１の断片分子を連結することをさらに含み、前記推定コンティグが、少なくとも１０ｋｂのＮ５０長さを含む、請求項１〜５のいずれか一項に記載の方法。
【請求項７】
前記バーコード配列が、追加の配列セグメントをさらに含む、請求項１〜６のいずれか一項に記載の方法。
【請求項８】
前記追加の配列セグメントが、プライマー、結合配列、ランダムｎ−ｍｅｒオリゴヌクレオチド、ウラシル核酸塩基を含むオリゴヌクレオチドからなる群から選択される１つ以上のメンバーを含む、請求項７に記載の方法。
【請求項９】
前記結合ステップ（ｄ）が、少なくとも７００，０００個のバーコードのライブラリーから選択されるバーコードを結合することを含む、請求項１〜８のいずれか一項に記載の方法。
【請求項１０】
前記分離区分が、エマルションの液滴を含む、請求項１〜９のいずれか一項に記載の方法。
【請求項１１】
前記取得ステップ（ｅ）の前に、前記断片が、得られた増幅産物が部分的または完全なヘアピン構造を形成する能力があるようにさらに増幅される、請求項１〜１０のいずれか一項に記載の方法。
【請求項１２】
前記分離区分内の前記バーコード付き断片が、前記ゲノムの前記１つ以上の選択部分の約１００×〜５０００×の包括度を表す、請求項１〜１１のいずれか一項に記載の方法。
【請求項１３】
前記分離区分内の前記アンプリコンの前記バーコード付き断片が、前記ゲノムの前記１つ以上の選択部分の少なくとも１×の包括度を表す、請求項１〜１１のいずれか一項に記載の方法。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
第一の抗原結合部位及び第二の抗原結合部位を含む二重特異性抗体であって、前記第一の抗原結合部位がヒト化抗体A33（huA33）抗原結合部位に対応し、前記第二の抗原結合部位がモノクローナル抗体2D12.5の抗原結合部位に対応し、前記第一の抗原結合部位及び前記第二の抗原結合部位がポリペプチド鎖を含む、前記二重特異性抗体。
【請求項２】
配列番号：２、配列番号：３、 又は配列番号：４のいずれか１つを含み、及び、更に配列番号：６ 又は配列番号：７を含む、二重特異性抗体。
【請求項３】
ポリペプチド鎖が、表8に記載の配列中に見出される重鎖CDRを含む、及び／ 又は表8に記載の配列中に見出される軽鎖CDRを含む、請求項１に記載の二重特異性抗体。
【請求項４】
第一の抗原結合部位及び/又は第二の抗原結合部位が単鎖可変フラグメント（scFv）を含む、請求項１に記載の二重特異性抗体。
【請求項５】
第一の抗原結合部位が免疫グロブリン分子を含み、当該第二の抗原結合部位がscFv、scFab、Fab又はFvを含む、請求項１に記載の二重特異性抗体。
【請求項６】
第二の抗原結合部位がヒト化C825 scFvである、請求項５に記載の二重特異性抗体。
【請求項７】
C825 scFvが免疫グロブリン分子の重鎖のC-末端に連結されている、 又は、C825 scFvが免疫グロブリン分子の軽鎖のC-末端に連結されている、請求項６に記載の二重特異性抗体。
【請求項８】
請求項１−７のいずれか1項に記載の二重特異性抗体のポリペプチド鎖の部分又は全部のコード配列を含む核酸分子。
【請求項９】
請求項８に記載の核酸分子を含む、発現ベクター。
【請求項１０】
請求項９に記載の発現ベクターを含む、宿主細胞。
【請求項１１】
請求項１−７のいずれか1項の二重特異性抗体を作製する方法であって、
当該二重特異性抗体の発現を可能にする条件下で培養培地中で請求項１０の宿主細胞を培養すること、及び、
当該培養培地から当該二重特異性抗体を分離すること、
を含む、前記方法。
【請求項１２】
請求項１−７のいずれか１項に記載の二重特異性抗体を含む、医薬組成物。
【請求項１３】
請求項１−７のいずれか１項に記載の二重特異性抗体を含む、A33発現に関連する症状の治療又は診断のための医薬組成物。
【請求項１４】
症状が結腸直腸癌、胃癌又は膵臓癌である、請求項１３に記載の使用。
【請求項１５】
請求項７記載の二重特異性抗体を含む、対象動物でA33陽性癌を治療又は診断するための医薬組成物であって、
前記治療又は診断が、請求項７に記載の二重特異性抗体を、A33抗原を発現する１つ以上の腫瘍に当該二重特異性抗体を局在させる条件及び十分な時間で対象動物に投与すること、
続いて、除去剤を当該対象動物に投与し、当該除去剤が未結合二重特異性抗体を除去すること、
続いて放射能標識DOTA-Bｎを当該対象動物に投与すること、を含む、前記医薬組成物。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
配列番号８８の配列の軽鎖ＣＤＲ１、軽鎖ＣＤＲ２、及び軽鎖ＣＤＲ３を含む免疫グロブリン軽鎖可変（ＶＬ）領域、並びに
配列番号１８２の配列の重鎖ＣＤＲ１、重鎖ＣＤＲ２、及び重鎖ＣＤＲ３を含む免疫グロブリン重鎖可変（ＶＨ）領域
を含む、リンパ球活性化遺伝子−３（ＬＡＧ−３）結合剤。
【請求項２】
前記ＶＨ領域が配列番号１８２の配列と少なくとも９０％同一なアミノ酸配列を含み、かつ前記ＶＬ領域が、配列番号８８の配列と少なくとも９０％同一なアミノ酸配列を含む、請求項１に記載のＬＡＧ−３結合剤。
【請求項３】
前記ＶＨ領域が配列番号１８２の配列と少なくとも９５％同一なアミノ酸配列を含み、かつ前記ＶＬ領域が配列番号８８の配列と少なくとも９５％同一なアミノ酸配列を含む、請求項１に記載のＬＡＧ−３結合剤。
【請求項４】
前記ＶＨ領域が配列番号１８２の配列を含み、かつ前記ＶＬ領域が配列番号８８の配列を含む、請求項１〜３のいずれか１項に記載のＬＡＧ−３結合剤。
【請求項５】
抗体、抗体コンジュゲート又はそれらの抗原結合断片、任意によりＦ（ａｂ’）２断片、Ｆａｂ’断片、Ｆａｂ断片、Ｆｖ断片、ｓｃＦｖ断片、ｄｓＦｖ断片、ｄＡｂ断片、又は一本鎖結合ポリペプチド、である、請求項１〜４のいずれか１項に記載のＬＡＧ−３結合剤。
【請求項６】
前記ＬＡＧ−３結合剤がＩｇＧ定常領域を含み、任意により該ＩｇＧ定常領域がＩｇＧ４である、請求項１〜５のいずれか１項に記載のＬＡＧ−３結合剤。
【請求項７】
ＬＡＧ−３タンパク質の細胞外ドメイン１（Ｄ１）及び／又は細胞外ドメイン２（Ｄ２）に結合する、請求項１〜６のいずれか１項に記載のＬＡＧ−３結合剤。
【請求項８】
ＬＡＧ−３結合剤が、エフェクター機能が低下したか、又は無効にされたＦｃ領域を含む、請求項１〜７のいずれか１項に記載のＬＡＧ−３結合剤。
【請求項９】
配列番号１８２の配列と少なくとも９０％同一な、免疫グロブリン重鎖可変（ＶＨ）領域のアミノ酸配列、及び
配列番号８８の配列と少なくとも９０％同一な、免疫グロブリン軽鎖可変（ＶＬ）領域のアミノ酸配列
を含む、リンパ球活性化遺伝子−３（ＬＡＧ−３）結合剤。
【請求項１０】
請求項１〜９のいずれか１項に記載のＬＡＧ−３結合剤をコードする、任意によりベクター又は単離された細胞内に存在する、単離された核酸配列。
【請求項１１】
請求項１〜９のいずれか１項に記載のＬＡＧ−３結合剤、及び医薬的に許容される担体を含む医薬組成物。
【請求項１２】
ＬＡＧ−３阻害に応答する、哺乳動物における病気の治療における使用のための、請求項１〜９のいずれか１項に記載のＬＡＧ−３結合剤又は請求項１１に記載の医薬組成物。
【請求項１３】
前記病気が、がんである、請求項１２に記載のＬＡＧ−３結合剤又は医薬組成物。
【請求項１４】
前記がんが、メラノーマ、腎臓細胞がん、肺がん、膀胱がん、乳がん、子宮頸がん、結腸がん、胆嚢がん、喉頭がん、肝臓がん、甲状腺がん、胃がん、唾液腺がん、前立腺がん、膵臓がん、又はメルケル細胞がんである、請求項１３に記載のＬＡＧ−３結合剤又は医薬組成物。
【請求項１５】
前記病気が、感染症である、請求項１２に記載のＬＡＧ−３結合剤又は医薬組成物。
【請求項１６】
前記感染症が、ウイルス又は細菌、任意によりヒト免疫不全ウイルス（ＨＩＶ）、呼吸器合胞体ウイルス（ＲＳＶ）、インフルエンザウイルス、デング熱ウイルス又はＢ型肝炎ウイルス（ＨＢＶ）、によって引き起こされる、請求項１５に記載の方法。
【請求項１７】
哺乳動物におけるＬＡＧ−３結合剤の半減期が３０分〜４５日の間である、請求項１２〜１６のいずれか１項に記載のＬＡＧ−３結合剤又は医薬組成物。
【請求項１８】
前記ＬＡＧ−３結合剤が、１ピコモーラー（ｐＭ）〜１００マイクロモーラー（μＭ）の間のＫＤでＬＡＧ−３に結合する、請求項１２〜１７のいずれか１項に記載のＬＡＧ−３結合剤又は医薬組成物。
【請求項１９】
ＰＤ−１結合剤と組み合わせた、任意により該ＰＤ−１結合剤が抗体、抗体コンジュゲート、又はそれらの抗原結合断片である、請求項１２〜１８のいずれか１項に記載のＬＡＧ−３結合剤又は医薬組成物。
【請求項２０】
ＴＩＭ−３結合剤と組み合わせた、任意により該ＴＩＭ−３結合剤が抗体、抗体コンジュゲート、又はそれらの抗原結合断片である、請求項１２〜１８のいずれか１項に記載のＬＡＧ−３結合剤又は医薬組成物。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
基地局から制御情報を受信することと、
前記受信された制御情報に基づいて、前記基地局からポイントツーマルチポイント（ＰＴＭ）データを受信すること、前記ＰＴＭデータは、識別子によってスクランブルされた誤り検出情報を備える、と、
前記識別子に基づいて、前記誤り検出情報を含む前記ＰＴＭデータを復号することを試みることと、
前記ＰＴＭデータを復号する前記試みに基づいて、前記基地局にフィードバック情報を送信するべきかどうかを決定することと
を備える、方法。
【請求項２】
前記決定することは、前記基地局に前記フィードバック情報を送信することを控えることを備える、請求項１に記載の方法。
【請求項３】
前記決定は、さらに、前記ＵＥの電力レベルに基づき、および、前記ＵＥが、アップリンク共有チャネル上で送信するべきデータを有するかどうかに基づく、請求項１に記載の方法。
【請求項４】
前記ＵＥが前記ＰＴＭデータを成功裏に復号しないとき、前記基地局に前記ＰＴＭデータに関する前記フィードバック情報を送信することを試みることをさらに備える、請求項１に記載の方法。
【請求項５】
前記ＵＥが特定のグループサービスを受信していることを示す情報を送信することをさらに備える、請求項４に記載の方法。
【請求項６】
遅延に基づいて前記ＰＴＭデータをバッファすることをさらに備える、請求項４に記載の方法。
【請求項７】
前記フィードバック情報は、否定応答（ＮＡＣＫ）である、請求項４に記載の方法。
【請求項８】
前記ＰＴＭデータに関する前記ＮＡＣＫは、
前記識別子に関連付けられたダウンリンク制御チャネルメッセージにおいて、または、
半持続性スケジューリングにおいて
識別されたアップリンク制御チャネルリソース上で送信され、
前記半持続性スケジューリングは、前記識別子に関連付けられる、請求項７に記載の方法。
【請求項９】
前記決定することは、ユニキャスト制御情報を送信することを控えることを備え、前記ＰＴＭデータに関する前記ＮＡＣＫは、前記識別子に関連付けられたアップリンクチャネルリソースにおいて、送信される、請求項７に記載の方法。
【請求項１０】
前記ＰＴＭデータに関する前記ＮＡＣＫは、
スケジューリング要求リソース上で送信される、または、
ユニキャスト肯定応答（ＡＣＫ）またはユニキャストＮＡＣＫと一緒に送信される、または、
前記ユニキャストＡＣＫまたは前記ユニキャストＮＡＣＫのいずれかと一緒に符号化される、または、
チャネル品質インジケータリソース上で送信される、または、
ユニキャストデータまたはユニキャスト制御情報と並行に送信される、請求項７に記載の方法。
【請求項１１】
前記ＵＥが、送信のためのユニキャストデータまたはユニキャスト制御情報を有するとき、前記ＵＥは、前記ＰＴＭデータに関する前記フィードバック情報を送信しないことを決定する、請求項１に記載の方法。
【請求項１２】
前記フィードバック情報を送信することを試みることをさらに備え、前記フィードバック情報は、受信レポート、無線リソース制御（ＲＲＣ）フィードバックレポート、または駆動テスト最小化（ＭＤＴ）レポートのうちの１つである、請求項１に記載の方法。
【請求項１３】
前記受信レポートは、一次セル識別子、二次セル識別子、または、データがマルチキャストブロードキャストマルチメディアストリーム（ＭＢＭＳ）送信を介して受信されるか、またはＰＴＭ送信を介して受信されるかについてのインジケーションのうちの少なくとも１つを含む、請求項１２に記載の方法。
【請求項１４】
ワイヤレス通信のための装置であって、
基地局から制御情報を受信するための手段と、
前記受信された制御情報に基づいて、前記基地局からポイントツーマルチポイント（ＰＴＭ）データを受信するための手段、前記ＰＴＭデータは、識別子によってスクランブルされた誤り検出情報を備える、と、
前記識別子に基づいて、前記誤り検出情報を含む前記ＰＴＭデータを復号することを試みるための手段と、
前記ＰＴＭデータを復号する前記試みに基づいて、前記基地局にフィードバック情報を送信するべきかどうかを決定するための手段と
を備える、装置。
【請求項１５】
実行されたとき、コンピュータに、請求項１〜１３のうちのいずれか一項にしたがった方法を実行させるコードを備える、ワイヤレス通信のためのコンピュータ実行可能コードを記憶するコンピュータ読み取り可能媒体。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
ＡＫＡ（Authentication and Key Agreement）認証プロシージャを用いる通信システムであって、
ＵＥ（User Equipment）の移動管理を行う第１のノード装置と、
前記第１のノード装置と接続し、前記ＵＥの認証を行う第２のノード装置と、
を備え、
前記第１のノード装置は、前記ＵＥからリクエストメッセージを受け、
前記第２のノード装置は、前記第１のノード装置から要求を受けると、第３のノード装置から認証情報を得て、該認証情報を使って前記ＵＥを認証する、通信システム。
【請求項２】
請求項１に記載の通信システムであって、
前記第２のノード装置は、前記第１のノード装置にセキュリティに関連した情報を提供する、通信システム。
【請求項３】
請求項２に記載の通信システムであって、
前記セキュリティに関連した情報は、セキュリティ用のキーを含む、通信システム。
【請求項４】
通信システムにおけるＡＫＡ（Authentication and Key Agreement）のための認証方法であって、
ＵＥ（User Equipment）の移動管理を行う第１のノード装置が、前記ＵＥからのリクエストメッセージを受信し、
前記第１のノード装置と接続し、前記ＵＥの認証を行う第２のノード装置が、前記第１のノード装置から要求を受けると、第３のノード装置から認証情報を取得し、
前記第２のノード装置が、前記認証情報を使って前記ＵＥを認証する、認証方法。
【請求項５】
請求項４に記載の認証方法であって、
さらに、前記第２のノード装置が、前記第１のノード装置にセキュリティに関連した情報を提供する、認証方法。
【請求項６】
請求項５に記載の認証方法であって、
前記セキュリティに関連した情報は、セキュリティ用のキーを含む、認証方法。
【手続補正２】
【補正対象書類名】明細書
【補正対象項目名】発明の名称
【補正方法】変更
【補正の内容】
【発明の名称】通信システム及び認証方法
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
粘着性かつ／またはポリマー含有ペレットを連続して袋詰めする方法であって、
粘着性かつ／またはポリマー含有組成物をペレット製造機でペレット化する工程と、
前記粘着性かつ／またはポリマー含有組成物のペレットを乾燥器で脱流体化する工程と、
前記脱流体化されたペレットを前記乾燥器のペレット流出口からマルチポート弁に向けて導く工程であって、ｉ）前記マルチポート弁へと向かう前記ペレットの方向流に少なくとも部分的に対向する乾燥気流を提供すること、及びｉｉ）前記ペレット流出口から前記脱流体化されたペレットを取り除く搬送気流を提供することを含む工程と、
特定の量の前記ペレットを、前記マルチポート弁の複数の流出口のうちの１つに連続して分流させる工程と、
前記マルチポート弁の前記複数の流出口のうちの１つ以上に位置する袋詰めアセンブリを用いて、前記ペレットを連続して袋詰めする工程と、を含む、方法。
【請求項２】
前記乾燥気流を提供することは、前記ペレット流出口と前記マルチポート弁との間に配置された１つ以上の送風器を用いて、前記乾燥気流を吸引することを含み、前記搬送気流を提供することは、前記１つ以上の送風器を用いて、前記搬送気流を吸引することを含む、請求項１に記載の粘着性かつ／またはポリマー含有ペレットを連続して袋詰めする方法。
【請求項３】
前記ペレットを脱流体化する工程は、前記ペレットを、ペレット流路に沿って前記乾燥器を通るように導くことと、前記ペレット流路に少なくとも部分的に対向する逆気流を、ペレット流路の少なくとも一部に沿って提供することとを含む、請求項１に記載の粘着性かつ／またはポリマー含有ペレットを連続して袋詰めする方法。
【請求項４】
前記脱流体化されたペレットを前記マルチポート弁に向けて導く工程は、
前記ペレット流出口と前記マルチポート弁との間に配置された１つ以上の送風器を用いて、前記ペレット流出口において前記逆気流に打ち勝って、前記ペレット流出口から離れるように前記脱流体化されたペレットを引きつけるのに十分な流量で、搬送気流を吸引することと、
前記１つ以上の送風器を用いて、前記脱流体化されたペレットを乾燥させる前記乾燥気流を吸引することと、を含む、請求項３に記載の粘着性かつ／またはポリマー含有ペレットを連続して袋詰めする方法。
【請求項５】
前記ペレットを前記乾燥器を通るように導くことは、前記ペレットを、前記逆気流に打ち勝って前記ペレット流路の少なくとも一部に沿って前記乾燥器を通るように機械的に駆動することを含む、請求項３に記載の粘着性かつ／またはポリマー含有ペレットを連続して袋詰めする方法。
【請求項６】
前記ペレットを機械的に駆動することは、前記ペレットを、ロータを用いて前記ペレット流路に沿って前記乾燥器を通るように機械的に駆動することを含む、請求項５に記載の粘着性かつ／またはポリマー含有ペレットを連続して袋詰めする方法。
【請求項７】
前記逆気流を提供することは、少なくとも前記ペレット流出口において、前記ペレットの機械的な駆動に打ち勝って、前記ペレットが前記ペレット流出口から流出することを防ぐのに十分な流量で前記逆気流を提供することを含み、
前記脱流体化されたペレットを前記マルチポート弁に向けて導く工程は、前記ペレット流出口において前記逆気流に打ち勝って、前記脱流体化されたペレットが前記ペレット流出口から取り除かれるのに十分な流量で搬送気流を吸引することを含む、請求項５に記載の粘着性かつ／またはポリマー含有ペレットを連続して袋詰めする方法。
【請求項８】
前記特定の量のペレットを前記マルチポート弁の前記複数の流出口のうちの１つ以上に連続して分流させる工程は、前記特定の量のペレットを分流させることになる所定の時間間隔に基づいている、請求項１に記載の粘着性かつ／またはポリマー含有ペレットを連続して袋詰めする方法。
【請求項９】
前記脱流体化されたペレットを前記乾燥器の下流における調節ユニットで調節する工程であって、前記脱流体化されたペレットを乾燥させることおよび前記脱流体化されたペレットに粉体塗布を行うことのうちの１つ以上を含む工程と、
前記ペレットを前記調節ユニットから前記マルチポート弁に向けて導く工程と、をさらに含む、請求項１に記載の粘着性かつ／またはポリマー含有ペレットを連続して袋詰めする方法。
【請求項１０】
前記調節ユニットは、タンブラーである、請求項９に記載の粘着性かつ／またはポリマー含有ペレットを連続して袋詰めする方法。
【請求項１１】
粘着性かつ／またはポリマー含有ペレットを連続して袋詰めするシステムであって、
粘着性かつ／またはポリマー含有組成物をペレット化するように構成されたペレット製造機と、
乾燥器であって、前記ペレットがペレット流路に沿って当該乾燥器を通るように移動してペレット流出口を通って流出する際に前記粘着性かつ／またはポリマー含有組成物のペレットを乾燥させるように構成され、当該乾燥器の少なくとも一部は、前記ペレット流路に少なくとも部分的に対向する逆気流を受けるように構成された乾燥器と、
前記乾燥したペレットを前記乾燥器から受けるように構成された導管であって、前記乾燥したペレットを、前記ペレット流出口から当該導管に引きつける搬送気流を提供するように構成された１つ以上の送風器を含む導管と、
流入する前記ペレットを連続して送るように構成され、流入する前記ペレットを受ける少なくとも１つの流入口および流出する前記ペレットを分配する複数の流出口を有するマルチポート弁と、
所定の数量のペレットを、前記マルチポート弁の前記複数の流出口のうちの１つ以上から交互に受けることにより、前記ペレットを連続して袋詰めできるように構成された複数の袋詰めアセンブリと、を含むシステム。
【請求項１２】
前記１つ以上の送風器は、前記マルチポート弁へと向かう前記ペレットの方向流に少なくとも部分的に対向する乾燥気流を吸引するようにさらに構成された、請求項１１に記載の粘着性かつ／またはポリマー含有ペレットを連続して袋詰めするシステム。
【請求項１３】
乾燥および／または乾燥したペレットへの被覆用粉体の塗布をさらに行うように構成された調節ユニットをさらに含む、請求項１１に記載の粘着性かつ／またはポリマー含有ペレットを連続して袋詰めするシステム。
【請求項１４】
前記調節ユニットは、タンブラーである、請求項１３に記載の粘着性かつ／またはポリマー含有ペレットを連続して袋詰めするシステム。
【請求項１５】
前記ペレットを１以上の前記乾燥器及び脱水ユニットで脱流体化する工程は、約７０％〜約７５％の流体を前記ペレットから除去することを含み、前記ペレットを調節する工程は、約２０％〜約３０％の流体を前記ペレットから除去することを含む、請求項９に記載の粘着性かつ／またはポリマー含有ペレットを連続して袋詰めする方法。
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
配列番号１８のアミノ酸配列を含む軽鎖及び配列番号１９のアミノ酸配列を含む重鎖を含む抗ＩＬ−２３Ａ抗体を含み、１５０ｍｇの抗ＩＬ−２３Ａ抗体を患者に投与するための、乾癬を処置するための医薬組成物。
【請求項２】
中等症から重症の慢性尋常性乾癬を処置するための、請求項１記載の医薬組成物。
【請求項３】
前記の抗ＩＬ−２３Ａ抗体が皮下投与によって投与される、請求項１又は２記載の医薬組成物。
【請求項４】
患者がPasoriasis Area and Severity Index（ＰＡＳＩ）スコア５０（ＰＡＳＩ  ５０）を達成する、請求項１〜３のいずれか一項記載の医薬組成物。
【請求項５】
患者がＰＡＳＩスコア７５（ＰＡＳＩ  ７５）を達成する、請求項１〜４のいずれか一項記載の医薬組成物。
【請求項６】
患者がＰＡＳＩスコア９０（ＰＡＳＩ  ９０）を達成する、請求項１〜５のいずれか一項記載の医薬組成物。
【請求項７】
患者がＰＡＳＩスコア１００（ＰＡＳＩ  １００）を達成する、請求項１〜６のいずれか一項記載の医薬組成物。
【請求項８】
配列番号１８のアミノ酸配列を含む軽鎖及び配列番号１９のアミノ酸配列を含む重鎖を含む、抗ＩＬ−２３Ａ抗体を含む、乾癬を処置するための医薬組成物であって、
ａ）初回用量として１５０ｍｇの前記の抗ＩＬ−２３Ａ抗体を患者に投与する工程；
ｂ）前記の初回用量が投与された４週間後に、２回目の用量として１５０ｍｇの前記の抗ＩＬ−２３Ａ抗体を患者に投与する工程；及び
ｃ）前記の２回目の用量が投与された１２週間後に、１回目の維持用量として１５０ｍｇの抗ＩＬ−２３Ａ抗体を患者に投与する工程
を含む方法により患者に投与される、医薬組成物。
【請求項９】
前記方法は、さらに
前記の１回目の維持用量が投与された後に、１２週間毎に、維持用量として１５０ｍｇの前記抗ＩＬ−２３Ａ抗体を投与する工程
を含む、請求項８記載の医薬組成物。
【請求項１０】
前記の方法が、中等症から重症の慢性尋常性乾癬を処置するためのものである、請求項８又は９記載の医薬組成物。
【請求項１１】
前記の抗ＩＬ−２３Ａ抗体が皮下投与によって投与される、請求項８〜１０のいずれか一項記載の医薬組成物。
【請求項１２】
患者がＰＡＳＩスコア５０（ＰＡＳＩ  ５０）を達成する、請求項８〜１１のいずれか一項記載の医薬組成物。
【請求項１３】
患者がＰＡＳＩスコア７５（ＰＡＳＩ  ７５）を達成する、請求項８〜１２のいずれか一項記載の医薬組成物。
【請求項１４】
患者がＰＡＳＩスコア９０（ＰＡＳＩ  ９０）を達成する、請求項８〜１３のいずれか一項記載の医薬組成物。
【請求項１５】
患者がＰＡＳＩスコア１００（ＰＡＳＩ  １００）を達成する、請求項８〜１４のいずれか一項記載の医薬組成物。